(57)【要約】【課題】記録媒体の位置に応じて記録媒体を吸着するための吸着孔を開口させて適切な吸着を行い記録媒体のカールを抑制しインク汚れを発生させず、且つ、記録媒体の先端部近傍からの印字を可能とし記録媒体の無駄を発生させないインクジェット記録装置を提供すること。【解決手段】記録ヘッドに対向して設けられ、記録媒体を搬送する面に複数の吸着孔を備えるプラテンと、前記吸着孔に前記記録媒体を吸着するための吸着力を発生させるための減圧手段と、前記プラテンを挟んで前記記録媒体を搬送する面に相対する側に設けられた開閉手段と、前記記録媒体が前記プラテン上を通過する際、前記記録媒体の位置に応じて前記複数の吸着孔のそれぞれを開閉し、開の時は前記記録媒体を吸着させるように前記開閉手段を制御する制御手段とを有する【選択図】　　　図２
2004098319.tif 000002
【特許請求の範囲】
【請求項１】
記録媒体を搬送しつつ、インクを射出する記録ヘッドにより前記搬送方向と直交する主走査方向に走査を行い前記記録媒体にインクを付着させる動作を繰り返し行なって画像を形成するインクジェット記録装置において、
前記記録ヘッドに対向して設けられ、前記記録媒体を搬送する面に複数の吸着孔を備えるプラテンと、
前記吸着孔に前記記録媒体を吸着するための吸着力を発生させるための減圧手段と、
前記プラテンを挟んで前記記録媒体を搬送する面に相対する側に設けられた開閉手段と、
前記記録媒体が前記プラテン上を通過する際、前記記録媒体の位置に応じて前記複数の吸着孔のそれぞれを開閉し、開の時は前記記録媒体を吸着させるように前記開閉手段を制御する制御手段とを有することを特徴とするインクジェット記録装置。
【請求項２】
前記吸着孔は、前記記録媒体搬送方向に列状に設けられ、
前記開閉手段は、前記プラテンの前記記録媒体を搬送する面に平行に設けられ、前記吸着孔を選択的に開閉するための遮蔽板と、前記遮蔽板を移動するための移動手段とを備えることを特徴とする請求項１に記載のインクジェット記録装置。
【請求項３】
前記記録媒体の位置は、前記プラテン上を通過する前記記録媒体の先端の位置であり、
前記開閉は、前記記録媒体の先端の搬送される位置に応じて前記吸着孔を順次開いていくことを特徴とする請求項１または請求項２に記載のインクジェット記録装置。
【請求項４】
前記記録媒体の位置は、前記プラテン上を通過する前記記録媒体の幅方向の位置であり、
前記開閉は、前記プラテン上を通過する前記記録媒体の幅より外側にある吸着孔を閉じることを特徴とする請求項１または請求項２に記載のインクジェット記録装置。
【請求項５】
前記記録媒体の位置は、前記プラテン上を通過する前記記録媒体の先端の位置及び前記プラテン上を通過する前記記録媒体の幅方向の位置であり、
前記開閉は、前記プラテン上を通過する前記記録媒体の幅より外側にある吸着孔を閉じ、内側にある前記吸着孔を前記記録媒体の先端の搬送される位置に応じて前記吸着孔を順次開いていくことを特徴とする請求項１または請求項２に記載のインクジェット記録装置。
【請求項６】
前記吸着孔は、前記搬送の方向の上流の吸着孔の径は前記搬送の方向の下流の吸着孔の径以上となるような列であることを特徴とする請求項１乃至請求項５のいずれかに記載のインクジェット記録装置。
【発明の詳細な説明】
【０００１】
【発明の属する技術分野】
本発明はインクジェット記録装置に関し、特に、記録媒体の搬送時に記録媒体を吸着するための吸着孔を有するプラテンを備えたインクジェット記録装置に関するものである。
【０００２】
【従来の技術】
インクジェット記録方式は、記録ヘッドから微小なインク液滴を射出し、紙などの記録媒体に付着させることによりドットを形成し、画像・文字等の記録を行うものである。騒音が少なく、現像や定着等のプロセスを必要とせず、且つ容易にフルカラー記録が行えることから、各種プリンタ、ファクシミリ、コンピュータ端末等さまざまな分野に利用されており、近年ではデジタルカメラで撮像したデジタル画像を写真として出力するプリンタとしても利用されている。
【０００３】
写真として出力する場合には、写真としての画質を要求されるだけでなく、記録紙に写真としての手触り、即ち、写真用の印画紙と同等の厚さが要求される。また、写真によくある「縁無し」で印字を行なう場合は、複数のデジタル画像を連続して印字を行なって画像の境目をカッタで切断（境目付近を２箇所切断することもある）して縁無し印字を実現するために、ロール状の記録紙いわゆるロール紙が使われる。
【０００４】
しかしながら、そのようなロール紙の場合には、厚いのでカールが発生し易く、また記録紙自体「こし」が強いためにそのカールによって記録紙が浮き上がり記録ヘッドに触れてインクが付着して汚れるという不具合を発生した。
【０００５】
このカールによる不具合を回避するために、複数のローラにより記録紙を矯正してカールをとる方法があるが、複雑な機構とその機構を駆動するための駆動手段を要するため、装置の大型化や装置コスト増を伴う。
【０００６】
また、記録ヘッドの前後に記録紙を搬送するためのローラを備え、記録ヘッドに対向する位置に空気により記録紙を吸着するように複数の吸着孔を設けたガイド板を配し、吸着孔での空気の吸引を常に吸引状態にした方式がある（例えば、特許文献１参照。）。
【０００７】
【特許文献１】
特開平８−１９２５４４号公報（段落〔０００９〕−〔００１５〕、第１図）
【０００８】
【発明が解決しようとする課題】
しかしながら、この方式では記録紙の先端部をガイド板上で移動させようとすると記録紙が達しない位置にある吸着孔から空気が漏れて吸着力が弱くなるために、特に上述したようなロール紙に適用すると、カールした記録紙を吸着できない場合があるので、常に記録紙を前後のローラで狭持することが必要となる。従って、画像の印字が終了すると画像の後端部を切断位置まで搬送すると少なくとも記録ヘッドから搬送方向下流のローラの間の記録紙には、印字ができないので、記録紙の無駄を発生する。
【０００９】
また、空気漏れによる吸着力の低下は、記録紙の先端部の位置のみならず、幅の小さい記録紙を用いた場合に記録紙の外側に位置する吸着孔からの空気漏れによっても発生する。
【００１０】
さらに、この空気漏れは、吸着力の低下を発生させるばかりでなく、記録ヘッドと記録紙の間の隙間に気流を生じ、射出されるインク液滴の軌道に影響し画像を劣化させる場合がある。特に空気漏れによる吸着力の低下を補うために空気の吸引を増加させた場合には、更にインク液滴の軌道に影響を及ぼす。
【００１１】
本発明は、上記事情に鑑みてなされたものであり、その目的とするところは、記録媒体の位置に応じて記録媒体を吸着するための吸着孔を開口させて適切な吸着を行い記録媒体のカールを抑制しインク汚れを発生させず、且つ、記録媒体の先端部近傍からの印字を可能とし記録媒体の無駄を発生させないインクジェット記録装置を提供することにある。
【００１２】
また、吸着孔での空気漏れによるインク液滴の軌道への影響を抑制し、画像の劣化を抑えるインクジェット記録装置を提供することにある。
【００１３】
【課題を解決するための手段】
上記目的を達成するために、請求項１記載の発明は、記録媒体を搬送しつつ、インクを射出する記録ヘッドにより前記搬送方向と直交する主走査方向に走査を行い前記記録媒体にインクを付着させる動作を繰り返し行なって画像を形成するインクジェット記録装置において、前記記録ヘッドに対向して設けられ、前記記録媒体を搬送する面に複数の吸着孔を備えるプラテンと、前記吸着孔に前記記録媒体を吸着するための吸着力を発生させるための減圧手段と、前記プラテンを挟んで前記記録媒体を搬送する面に相対する側に設けられた開閉手段と、前記記録媒体が前記プラテン上を通過する際、前記記録媒体の位置に応じて前記複数の吸着孔のそれぞれを開閉し、開の時は前記記録媒体を吸着させるように前記開閉手段を制御する制御手段とを有することを特徴としている。
【００１４】
また、請求項２記載の発明は、前記吸着孔は、略前記記録媒体搬送方向に列状に設けられ、前記開閉手段は、前記プラテンの前記記録媒体を搬送する面に平行に設けられ、前記吸着孔を選択的に開閉するための遮蔽板と、前記遮蔽板を移動するための移動手段とを備えることを特徴としている。
【００１５】
また、請求項３記載の発明は、前記記録媒体の位置は、前記プラテン上を通過する前記記録媒体の先端の位置であり、前記開閉は、前記記録媒体の先端の搬送される位置に応じて前記吸着孔を順次開いていくことを特徴としている。
【００１６】
また、請求項４記載の発明は、前記記録媒体の位置は、前記プラテン上を通過する前記記録媒体の幅方向の位置であり、前記開閉は、前記プラテン上を通過する前記記録媒体の幅より外側にある吸着孔を閉じることを特徴としている。
【００１７】
また、請求項５記載の発明は、前記記録媒体の位置は、前記プラテン上を通過する前記記録媒体の先端の位置及び前記プラテン上を通過する前記記録媒体の幅方向の位置であり、前記開閉は、前記プラテン上を通過する前記記録媒体の幅より外側にある吸着孔を閉じ、内側にある前記吸着孔を前記記録媒体の先端の搬送される位置に応じて前記吸着孔を順次開いていくことを特徴としている。
【００１８】
また、請求項６記載の発明は、前記吸着孔は、前記搬送の方向の上流の吸着孔の径は前記搬送の方向の下流の吸着孔の径以上となるような列であることを特徴としている。
【００１９】
【発明の実施の形態】
［第１の実施の形態］
（機械的構成）
以下では、本発明の第１の実施の形態について図を参照しつつ説明する。図１は、本発明の特徴である吸着手段を備えたインクジェット記録装置を示す概略構成断面図である。
【００２０】
図１によれば、インクジェット記録装置は、図示しない保持手段によって回転自在に保持され記録媒体としての記録紙１を巻いて形成した元巻き１ａと、その元巻き１ａから記録紙１の搬送方向下流に位置し、図示しないローラ駆動手段により時計方向に回転する搬送ローラ６と、図示しない付勢手段により加圧されて搬送ローラ６と共に記録紙１を狭持する押圧ローラ７と、さらにその下流に図示しない複数のノズルからインクを射出し記録紙１に画像を形成する記録ヘッド２と、その記録ヘッド２を保持するキャリッジ３と、このキャリッジ３を記録紙１の搬送方向と直行する方向である主走査方向（図１紙面に直交する方向）に沿って移動させる際に移動案内するキャリッジレール４と、記録ヘッド２とは記録紙１を挟んで対向するように記録紙１を吸着（吸着の詳細は後述）させるためのガイド体５１、遮蔽板５３及びファン５２を含んで構成されるプラテン５と、さらに記録ヘッド２の下流に搬送ローラ６とは図示しない動力伝達手段を介して搬送ローラ６の記録紙１の搬送速度よりやや速い搬送速度となるように時計方向に回転し記録紙１に所定の張力を与えつつ搬送するテンションローラ８と、図示しない付勢手段により加圧されてテンションローラ８と共に記録紙１を狭持する押圧ローラ９と、記録紙１の先端部を検知するための先端検知センサ１１と、記録紙１を所定の位置でカットするためのカッタ１０とによって主に構成される。カッタ１０よりも下流には、図示しないが排紙ローラや排紙トレイを有している。
【００２１】
次に、プラテン５について説明する。プラテン５は、ガイド体５１、遮蔽板５３及びファン５２により主に構成されている。ガイド体５１は箱型で、上面は記録紙１をガイドするガイド面５１１を形成し、さらにそのガイド面５１１には記録紙１を吸着するために複数の吸着孔５４１が開いている（図１には図示していないが、図２を用いて後述する）。また、下面には、ファン５２を保持し、ファン５２は図１に示すエアフローのように吸着孔５４１から吸気しファン５２から空気を排出し、ガイド体５１の内部を減圧する減圧手段として作用している。従って、記録紙１がこの吸着孔５４１の上部にあるときには記録紙１はこの吸着孔５４１によりガイド面５１１に密着するように吸着される。しかし、記録紙１とガイド面５１１の摩擦係数は記録紙１を吸着しつつも記録紙１とガイド面５１１との間で滑りつつ搬送できる程度に記録紙１とガイド面５１１の摩擦係数は十分小さい。さらに、ガイド面５１１の裏面遮蔽板５３がガイド体５１内部に備えられたレール５１２により図１紙面直交方向に移動可能に保持されている。また、図ではガイド体５１を１部材で形成するように示しているが、複数の部材により形成してよい。また、ガイド体５１は吸着孔５４１及びファン５２用の開口部を除いてほぼ密閉されていることが望ましく、密閉するための部材を配しても良い。また、遮蔽板５３がガイド体５１のガイド面５１１の裏面に、より密着するように付勢手段等を備えても良いし、また前記裏面との間の隙間を埋めるような部材を設けても良い。
【００２２】
さらに、プラテン５を図１における記録ヘッド２側から見た上面図である図２を用いて詳細に説明する。吸着孔５４１は、図２に示すようにガイド面５１１上に記録紙１の幅に収まる位置に開いていて、吸着孔５４１は主走査方向の所定の位置で記録紙１搬送方向に列状配置され吸着孔列５４を構成している（図２では、７つの吸着孔５４１ａ〜５４１ｇで構成される５つの吸着孔列５４ｐ〜５４ｔを１例として示した）。また、遮蔽板５３は吸着孔列５４のそれぞれに備えられていて（図２では遮蔽板５３ｐ〜５３ｔ）、図中矢印で示した遮蔽板移動方向に遮蔽板移動手段２０（後述の図３に示す）により移動し吸着孔５４１の開閉を行なう。また、遮蔽板５３の移動にともなって記録紙１の搬送方向上流の吸着孔５４１から搬送方向下流に向かって順次開くように吸着孔５４１は記録紙１の搬送方向と角度を持たせて配置している。
【００２３】
ここで、遮蔽板移動手段２０の１例を図３示す。図３に示すように遮蔽板移動手段２０は、駆動プーリ２１及び従動プーリ２２と、駆動プーリ２１及び従動プーリ２２に懸架されるワイヤ２３で構成される。駆動プーリ２１及び従動プーリ２２は、ガイド体５１に設けた図示しない保持手段、例えばカシメ軸等に回動自在に保持されている。さらに、駆動プーリ２１は、モータ等を含む遮蔽板駆動手段１０９（図４参照）と図示しない動力伝達手段で連結されている。本発明の移動手段は、これらの遮蔽板移動手段２０及び遮蔽板駆動手段１０９等を含み構成される。また、本発明の開閉手段は、これらの遮蔽板５３、遮蔽板移動手段２０及び遮蔽板駆動手段１０９等を含み構成される。一方、遮蔽板５３は、ワイヤ２３の片側に×印の位置に固結されている。従って、遮蔽板駆動手段１０９により駆動プーリ２１が回転させられるとワイヤ２３の回動に従って遮蔽板５３が移動する。また、遮蔽板位置センサ１１１により、遮蔽板５３の遮蔽板待機位置を管理するようになっている。また、上述の説明では、一つの遮蔽板移動手段２０により遮蔽板５３ｐ〜５３ｔの移動を行なうように説明したが、遮蔽板５３毎に遮蔽板移動手段２０を設けて各々の遮蔽板５３を個別に移動する構成でも良く、また、遮蔽板５３を幾つかのグループに分けて、グループ毎に遮蔽板移動手段２０を設けて各々のグループを個別に移動する構成でも良い。また、移動の方式は、上述のワイヤ及びプーリに限ることは無く、例えばラック＆ピニオン方式などでも良い。
【００２４】
（電気的構成）
次に、本第１の実施の形態に係るインクジェット記録装置の電気的構成を図４に示す。本発明に係るインクジェット記録装置は、図４に示すように、ホストコンピュータ等から画像データを受信する画像データ入力部１０１と、記録ヘッド２の動作を行う記録ヘッドドライバ１０２と、各種パラメータや情報を一時的に保持するＲＡＭ１０３と、ファン５２を動作させるファン駆動手段１０４と、搬送ローラ６により搬送される記録紙１の先端部を検知するための先端検知センサ１０５と、キャリッジ３を駆動するためのキャリッジ駆動手段１０６と、搬送ローラ６を駆動するためのローラ駆動手段１０７と、記録紙１切断時にカッタ１０を駆動するためのカッタ駆動手段１０８と、遮蔽板５３の移動動作を行うための遮蔽板駆動手段１０９と、これらの各部の制御を司る制御手段１００と、記録紙１の幅を検知するための幅検知センサ１１０と、遮蔽板５３の遮蔽板待機位置を検知するための遮蔽板位置センサ１１１と、を含んで構成される。
【００２５】
制御手段１００は、具体的には、ＣＰＵ１００ａと、各種の制御プログラム、および、制御プログラムを実行するときに必要な各種データを記憶すると共に、制御プログラムを実行するときのワークエリアを構成するシステムメモリ１００ｂと、を含んで構成される。また、制御手段１００により、ローラ駆動手段１０７と遮蔽板駆動手段１０９は制御され、後述するように記録紙１先端位置に応じた遮蔽板５３の移動を行なう。
【００２６】
また、各種設定値を設定するための操作手段及び表示手段を構成してもよい。
【００２７】
（動作説明）
このような構成により、制御手段１００は、各部を制御し次のような動作を行なう。画像データを受信すると、ファン５２を駆動させ、搬送ローラ６を駆動し、記録紙１を記録紙待機位置（後述）から搬送を開始し、記録紙１をファン５２の作用によりプラテン５により吸着しつつ図１矢印搬送方向へ搬送する。記録紙１の先端部がプラテン上の所定の位置に達すると、画像データに基づきキャリッジ３の走査及び記録ヘッド２からのインク射出を実施し、該記録紙１に印字を行なう。そして記録紙１を所定量搬送し、再び印字を行う（この位置で印字可能となる理由は後述する）。この印字及び記録紙１の搬送を交互に繰り返して行なう。その間に記録紙１の先端部は、テンションローラ８に達し、テンションローラ８と押圧ローラ９とで狭持される。さらに、印字及び記録紙１の搬送を交互に繰り返し、画像の印字が終了すると、印字された画像の後端がカッタ１０のカット位置に達するまで搬送し、記録紙１を切断し、印字がなされている記録紙１は図示しない排紙ローラによって同じく図示しない排紙トレイに排紙する。さらに、残された記録紙を図中矢印搬送方向とは逆方向に搬送するが、切断されてできた先端部を検知し、搬送ローラ６の手前に達する様に所定の搬送量を図中矢印搬送方向とは逆方向にさらに搬送し、記録紙１の先端部を記録紙待機位置に待機する。
【００２８】
ここで、記録紙１の搬送と吸着孔５４１による記録紙１の吸着について図５を用いて説明する。図５では、図２に示す遮蔽板５３ｐ及び吸着孔列５４ｐを用いて説明するが、他の遮蔽板５３ｑ〜ｔ及び吸着孔列５４ｑ〜ｔについても同様である。
【００２９】
初めに、図５（ａ）に示すように記録紙１の先端部は記録紙待機位置に待機している（図５（ａ）に▲１▼と示す）。この時、遮蔽板５３の端部は図５（ａ）に示すａの位置にあり全ての吸着孔５４１を塞いだ状態にある（図５（ａ）では遮蔽板５３により塞がれた状態の吸着孔５４１を●で示す、また、図５（ｂ）〜（ｇ）も同様に扱う）。ここで画像データを受信すると上述の如くファン５２を駆動する。さらに搬送ローラ６を駆動し記録紙１の搬送を開始する。ここで、記録紙１の先端部が▲２▼に達する前に遮蔽板５３の端部がｂの位置になるように遮蔽板５３を移動する。従って、図５（ｂ）に示すように記録紙１の先端部が▲２▼に達した時には、記録紙１は吸着孔５４１ａにより吸着された状態となる。遮蔽板５３がこのｂの位置にある時には、吸着孔５４１ａのみ開き（図５（ｂ）では遮蔽板５３により塞がれていない状態の吸着孔５４１を○で示す、また、図５（ｃ）〜（ｈ）も同様に扱う）、吸着孔５４１ｂから吸着孔５４１ｇは塞がれている。従って、吸着孔５４１ｂから吸着孔５４１ｇからの空気の漏れがなく、吸着孔５４１ａでは吸着力の低下が無く確実に記録紙１を吸着できので、記録紙１のカールを抑制することができる。
【００３０】
さらに、記録紙１を搬送するが、図５（ｃ）〜（ｅ）に示すように記録紙１の先端部が▲３▼、▲４▼、▲５▼のそれぞれに達する前に遮蔽板５３の端部がそれぞれ対応してｃ、ｄ、ｅの位置になるように遮蔽板５３を移動する。このようにして、記録紙１の先端部が▲３▼にある時には、吸着孔５４１ａ及びｂが開き、吸着孔５４１ｃから吸着孔５４１ｇは塞がれ、記録紙１の先端部が▲４▼にある時には、吸着孔５４１ａから吸気孔ｃが開き、吸着孔５４１ｄから吸着孔５４１ｇは塞がれ、記録紙１の先端部が▲５▼にある時には、吸着孔５４１ａから吸気孔ｄが開き、吸着孔５４１ｅから吸着孔５４１ｇは塞がれているので、記録紙１を確実に吸着しカールを抑制しつつ搬送できる。従って、記録紙１がテンションローラ８及び押圧ローラ９とに狭持されていなくてもカールが抑制されていて記録紙１が記録ヘッド２に触れないので記録ヘッド２を走査して印字することが可能であり、また、記録ヘッド２と記録紙１の間の隙間に空気の漏れによる気流を生じないので、射出されるインク液滴の軌道に影響せず画像を劣化させない。つまり、記録紙１先端部の近傍から印字を行うことができるので、記録紙１の無駄を発生しない。
【００３１】
さらに、図５（ｆ）〜（ｈ）に示すように記録紙１の先端部を▲５▼から▲６▼へ搬送し、先端部が▲６▼に達する前に遮蔽板５３の端部がｆの位置になるように遮蔽板５３を移動し、記録ヘッド２を走査して印字を行ない、続けて記録紙１の先端部を▲６▼から▲７▼へ搬送し、先端部が▲７▼に達する前に遮蔽板５３の端部がｇの位置になるように遮蔽板５３を移動し、記録ヘッド２を走査して印字を行ない、さらに続けて記録紙１の先端部を▲７▼から▲８▼へ搬送し、先端部が▲８▼に達する前に遮蔽板５３の端部がｈの位置になるように遮蔽板５３を移動し、記録ヘッド２を走査して印字を行なう。以降、遮蔽板５３は遮蔽板の端部をｈに保持したまま記録紙１の搬送と印字を繰り返して行なう。
【００３２】
この様にして、記録紙１の位置に応じて吸着孔５４１の開閉を制御することで、確実に記録紙１を吸着しカールを抑制し記録紙１の汚れを発生せず、さらに、空気漏れによるインク液滴の軌道への影響がなく良好な画像を得ることができる。また、上述の如く記録紙１の先端部近傍から印字が可能となるので記録紙の無駄を発生しない。
【００３３】
また、それぞれの吸着孔列５４において記録紙１の搬送方向上流の吸着孔５４１の孔径を下流の孔径より大きくすれば、記録紙１の先端が搬送方向上流にある時には、吸着を受ける吸着孔の数が少ないので、孔径を大きくして吸着力を増加させることができる。この様にして更に確実に記録紙１の先端部を吸着できる。
【００３４】
また、図２では、吸着孔列５４を構成する吸着孔５４１を記録紙１の搬送方向と角度を持たせて配置したが、遮蔽板５３の端部の形状により記録紙１の搬送方向に配置することも可能である。
【００３５】
［第２の実施の形態］
次に、本発明に係る第２の実施形態について、図６に基づいて説明する。図６は複数の幅（図ではＡ、Ｂの２種）の記録紙１とプラテン５を示す図である。尚、以下においては、前記第１の実施形態と実質的に同様の構成に関しては説明を省略し、異なる部分についてのみ説明する。
【００３６】
当該実施の形態の特徴は、記録紙１の幅に応じて遮蔽板５３を選択的に移動させる点にある。この場合には、第１の実施の形態において触れたが、遮蔽板移動手段２０の構成を遮蔽板５３毎に遮蔽板移動手段２０を設けて各々の遮蔽板５３を個別に移動する構成する、また、遮蔽板５３を幾つかのグループに分けて、グループ毎に遮蔽板移動手段２０を設けて各々のグループを個別に移動する構成する。特にグループに分けて構成する場合には、遮蔽板５３ｑ〜ｓを１グループとし、遮蔽板５３ｐと遮蔽板５３ｔを１グループとする。
【００３７】
また、吸着孔５４１と記録紙１の幅の関係について説明する。図６において遮蔽板５３ｑ、５３ｒ、５３ｓにより開閉される吸着孔５４１は、幅Ａの内側にあり、遮蔽板５３ｒ、５３ｔにより開閉される吸着孔５４１は、幅Ａの外側で且つ幅Ｂの内側になっている。
【００３８】
また、記録紙１の幅は、幅検知センサ１１０で検知すればよく、例えば、元巻き１ａが図示しない保持手段に保持された時に、記録紙１の幅を検知するようになっていれば良い。また、操作手段から入力するような方法でも良い。
【００３９】
（動作説明）
図６において幅Ａの記録紙１を使用する場合には、遮蔽板５３ｒ、５３ｔは固定し、遮蔽板５３ｒ、５３ｔの移動により開閉される吸着孔５４１は塞いだままで、遮蔽板５３ｑ、５３ｒ、５３ｓを第１の実施の形態に示したように動作させ、幅Ｂの記録紙１を用いる時は、遮蔽板５３ｒから５３ｔ全てを第１の実施の形態に示したように動作させる。
【００４０】
この様に記録紙１の幅に応じて遮蔽板５３を選択的に移動させることにより、記録紙１の幅に応じて適切に記録紙１を吸着し、更に記録紙１の幅が異なっても空気の漏れがないので、第１の実施の形態と同様に記録紙の幅が異なっても、確実に記録紙１を吸着しカールを抑制し記録紙１の汚れを発生せず、さらに、空気漏れによるインク液滴の軌道への影響がなく良好な画像を得ることができる。また、上述の如く記録紙１の先端部近傍から印字が可能となるので記録紙の無駄を発生しない。
【００４１】
また、上述の実施形態では、記録ヘッド２を主走査方向に移動しつつインクを射出して画像を形成するいわゆる走査ヘッドを用いて説明したが、言うまでも無く主走査方向の全画像形成領域にノズルを有するいわゆるラインヘッドであっても良い。
【００４２】
また、記録媒体としての記録紙１は、フィルムを用いたものなど紙に限るものではなく、定型サイズにカットされたいわゆるカットを用いても同様の効果を得られることは言うまでもない。
【００４３】
【発明の効果】
以上説明したように、本発明によれば、記録媒体の位置に応じて記録媒体を吸着するための吸着孔を開口させることで、適切な吸着を行い記録媒体のカールを抑制しインク汚れを発生せず、且つ、記録媒体の先端部近傍からの印字を可能とし記録媒体の無駄を発生しない。
【００４４】
また、吸着孔での空気漏れによるインク液滴の軌道への影響を抑制し、画像の劣化を抑えることができる。
【００４５】
さらに、記録媒体の幅及び記録媒体の位置に応じて記録媒体を吸着するための吸着孔を開口させることで、異なる記録媒体の幅においても上述の効果を得ることができる。
【図面の簡単な説明】
【図１】本発明の実施形態に係るインクジェット記録装置の機械的構成例を示す概略構成断面図である。
【図２】本発明に係るプラテンの構成を示す上面図である。
【図３】本発明の実施形態に係る遮蔽板移動手段の機械的構成の１例を示す概略構成図である。
【図４】本発明の実施形態に係るインクジェット記録装置の電気的構成例を示すブロック図である。
【図５】本発明に係る記録紙先端位置と遮蔽板端部の位置及び吸着孔との関係を説明するための説明図である。
【図６】第２の実施の形態に係るプラテンと記録紙幅の関係を示す説明図である。
【符号の説明】
１　記録紙
１ａ　元巻き
２　記録ヘッド
３　キャリッジ
４　キャリッジレール
５　プラテン
５１　ガイド体
５１１　ガイド面
５１２　レール
５２　ファン
５３　遮蔽板
５４　吸着孔列
５４１　吸着孔
６　搬送ローラ
７　押圧ローラ
８　テンションローラ
９　押圧ローラ
１０　カッタ
１１　先端検知センサ
２０　遮蔽板移動手段
２１　駆動プーリ
２２　従動プーリ
２３　ワイヤ
１００　制御手段
１００ａ　ＣＰＵ
１００ｂ　システムメモリ
１０１　画像データ入力部
１０２　記録ヘッドドライバ
１０３　ＲＡＭ
１０４　ファン駆動手段
１０５　先端検知センサ
１０６　キャリッジ駆動手段
１０７　ローラ駆動手段
１０８　カッタ駆動手段
１０９　遮蔽板駆動手段
１１０　幅検知センサ
１１１　遮蔽板位置センサ
【図１】
2004098319.tif 000003
【図２】
2004098319.tif 000004
【図３】
2004098319.tif 000005
【図４】
2004098319.tif 000006
【図５】
2004098319.tif 000007
【図６】
2004098319.tif 000008